(57)【要約】【課題】他の吸収性物品や下着に取り付けて用いた場合にズレ止め効果が発揮され、しかも、他の吸収性物品や下着から簡単に取り外すことができる吸収性物品を提供する。【解決手段】トップシート２とバックシート３とこれらの間に配された吸収性コア４とを有し、バックシート３の外側面に留め具１１が設けられた吸収性物品１であって、留め具１１は、バックシート３とは反対側の面に配された複数の柱状の係合部１３を有し、係合部１３は、頂部に向かって断面幅が拡大しないように形成されている吸収性物品。【選択図】図５
2014039753.tif 000002
【特許請求の範囲】
【請求項１】
トップシートとバックシートとこれらの間に配された吸収性コアとを有し、前記バックシートの外側面に留め具が設けられた吸収性物品であって、
前記留め具は、前記バックシートとは反対側の面に配された複数の柱状の係合部を有し、
前記係合部は、頂部に向かって断面幅が拡大しないように形成されていることを特徴とする吸収性物品。
【請求項２】
前記係合部は、高さ（Ｈ）と頂部の端面の幅（ＷA）との比ＷA／Ｈが０．１以上１．５以下である請求項１に記載の吸収性物品。
【請求項３】
前記係合部は、頂部の端面の幅（ＷA）と基部断面の幅（ＷB）との比ＷB／ＷAが１．０以上２．０以下である請求項１または２に記載の吸収性物品。
【請求項４】
前記係合部は、前記留め具に１６〜９００個／ｃｍ2の密度で設けられている請求項１〜３のいずれか一項に記載の吸収性物品。
【請求項５】
前記係合部は、高さ方向の１／２以上の長さにわたって、断面幅の変動が１０％以内となるように形成されている請求項１〜４のいずれか一項に記載の吸収性物品。
【発明の詳細な説明】
【技術分野】
【０００１】
本発明は、尿パッド（失禁パッドを含む）、生理用ナプキン等の吸収性物品に関するものであり、特に、使い捨ておむつ等の他の吸収性物品やパンツ、ショーツ等の下着等に取り付けて好適に使用することができる吸収性物品に関するものである。
【背景技術】
【０００２】
従来、使い捨ておむつ等の他の吸収性物品やパンツ、ショーツ等の下着の内側面に取り付けて使用する吸収性物品であって、吸収性物品のバックシートに、他の吸収性物品や下着の内側面に吸収性物品を取り付けるための留め具が設けられたものが知られている。例えば、特許文献１，２に開示された吸収性物品には、バックシートに、頂部が幅広に形成された係合部（フック部）を有する留め具が設けられている。
【先行技術文献】
【特許文献】
【０００３】
【特許文献１】特開２００３−２１０５２４号公報
【特許文献２】特開２００７−０４４１３９号公報
【発明の概要】
【発明が解決しようとする課題】
【０００４】
特許文献１，２に開示される吸収性物品は、他の吸収性物品や下着の内側面に取り付けると、バックシートに設けた留め具の係合部が他の吸収性物品や下着の内側面に強固に係合して、吸収性物品がずれたり脱落するのが防止される。しかし、留め具の係合部が他の吸収性物品や下着を構成する繊維等に引っ掛かって強固に係合するため、吸収性物品（留め具）を取り外す際に他の吸収性物品や下着を傷付けたり、他の吸収性物品や下着から吸収性物品を引き剥がすことが困難となって取り扱い性が低下するおそれがある。
【０００５】
本発明は前記事情に鑑みてなされたものであり、その目的は、他の吸収性物品や下着に取り付けて用いた場合にズレ止め効果が発揮され、しかも、他の吸収性物品や下着から簡単に取り外すことができる吸収性物品を提供することにある。
【課題を解決するための手段】
【０００６】
前記課題を解決することができた本発明の吸収性物品とは、トップシートとバックシートとこれらの間に配された吸収性コアとを有し、バックシートの外側面に留め具が設けられた吸収性物品であって、留め具がバックシートとは反対側の面に配された複数の柱状の係合部を有し、係合部が頂部に向かって断面幅が拡大しないように形成されている点に特徴を有する。本発明の吸収性物品は、バックシートの外側面に柱状の係合部を有する留め具が設けられ、係合部が頂部に向かって断面幅が拡大しないように形成されているため、留め具を他の吸収性物品や下着に取り付けても、留め具を取り外す際に係合部が他の吸収性物品や下着に引っ掛かりにくくなり、吸収性物品を取り外すことが容易になる。一方、留め具を他の吸収性物品や下着に取り付けた状態では、係合部は他の吸収性物品や下着に対して剪断方向に対抗する力が作用し、ズレ防止効果が発揮されるようになる。すなわち、本発明の吸収性物品は、他の吸収性物品や下着に取り付けて使用する際は、他の吸収性物品や下着に対するズレ防止効果が働くのに対し、他の吸収性物品や下着からは簡単に取り外すことができる。
【０００７】
係合部は、高さ（Ｈ）と頂部の端面の幅（ＷA）との比ＷA／Ｈが０．１以上１．５以下であることが好ましい。また係合部は、頂部の端面の幅（ＷA）と基部断面の幅（ＷB）との比ＷB／ＷAが１．０以上２．０以下であることが好ましい。さらに係合部は、高さ方向の１／２以上の長さにわたって、断面幅の変動が１０％以内となるように形成されていることが好ましい。係合部がこのように形成されていれば、ズレ止め効果が好適に発揮されるようになる。
【０００８】
係合部は、留め具に１６〜９００個／ｃｍ2の密度で設けられていることが好ましい。係合部がこのような密度で留め具に設けられていれば、留め具によるズレ防止効果が十分発揮されやすくなる。
【発明の効果】
【０００９】
本発明の吸収性物品は、バックシートの外側面に柱状の係合部を有する留め具が設けられ、係合部が頂部に向かって断面幅が拡大しないように形成されているため、吸収性物品を他の吸収性物品や下着に取り付けると、他の吸収性物品や下着に対するズレ防止効果を発揮するのに対し、他の吸収性物品や下着から吸収性物品を取り外すのは簡単に行うことができる。
【図面の簡単な説明】
【００１０】
【図１】本発明の吸収性物品に設けられる留め具の例を表し、図１（ａ）は円柱形状の係合部を有する留め具の斜視図を表し、図１（ｂ）は図１（ａ）に示した留め具の断面図を表す。
【図２】本発明の吸収性物品に設けられる留め具の例を表し、図２（ａ）は切頂円錐形状の係合部を有する留め具の斜視図を表し、図２（ｂ）は図２（ａ）に示した留め具の断面図を表す。
【図３】本発明の吸収性物品に設けられる留め具の例を表し、図３（ａ）は円柱と切頂円錐とを組み合わせた形状の係合部を有する留め具の斜視図を表し、図３（ｂ）は図３（ａ）に示した留め具の断面図を表す。
【図４】本発明の吸収性物品（失禁パッド）をバックシート側から見た平面図の一例を表す。
【図５】図４に示した吸収性物品のＡ−Ａ断面図を表す。
【図６】本発明の吸収性物品（失禁パッド）をバックシート側から見た平面図の他の一例を表す。
【図７】図６に示した吸収性物品のＢ−Ｂ断面図を表す。
【発明を実施するための形態】
【００１１】
本発明の吸収性物品は、トップシートとバックシートとこれらの間に配された吸収性コアとを有する。本発明の吸収性物品は、例えば、尿パッド（失禁パッドを含む）や生理用ナプキン等に適用できる。本発明の吸収性物品は、使い捨ておむつ等の他の吸収性物品やパンツ、ショーツ等の下着等に取り付けて好適に使用することができるものである。
【００１２】
吸収性物品は、長手方向と幅方向を有する。本発明において、吸収性物品の長手方向とは、吸収性物品を着用者が着用した際、着用者の股間の前後方向に延びる方向を意味する。吸収性物品の幅方向とは、吸収性物品を平面状に広げた状態で吸収性物品と同一面上にあり、長手方向と直交する方向を意味する。吸収性物品の内側面とは、吸収性物品を着用した際、着用者の肌に向く側の面を意味する。吸収性物品の外側面とは、吸収性物品を着用した際、着用者とは反対側を向く面を意味する。
【００１３】
トップシートは、吸収性物品の着用の際に着用者側に位置するシートであり、液透過性であることが好ましい。トップシートとしては、例えば、セルロース、レーヨン、コットン等の親水性繊維から形成された不織布や；ポリオレフィン（例えば、ポリプロピレン、ポリエチレン）、ポリエステル（例えば、ＰＥＴ）、ポリアミド（例えば、ナイロン）等の疎水性繊維から形成された不織布であって、疎水性繊維の表面が界面活性剤により親水化されたもの等を用いることができる。また、トップシートとして、織布、編布、孔が形成されたプラスチックフィルム等を用いてもよい。
【００１４】
バックシートは、吸収性物品の着用の際に着用者とは反対側、すなわち外側に位置するシートであり、液不透過性であることが好ましい。バックシートとしては、ポリオレフィン（例えば、ポリプロピレン、ポリエチレン）、ポリエステル（例えば、ＰＥＴ）、ポリアミド（例えば、ナイロン）等の疎水性繊維から形成された不織布や、プラスチックフィルム等を用いることができる。また、不織布とプラスチックフィルムとの積層体を用いてもよい。本発明において、液不透過性とは撥水性の意味も含まれる。
【００１５】
トップシートやバックシートとして不織布を用いる場合、不織布としては、スパンボンド法、エアスルー法、ポイントボンド法、メルトブロー法、エアレイド法やそれらの製法の組み合わせ等により製造されるものが好ましい。また、スパンボンド法とメルトブロー法を組み合わせたＳＭＳ法により製造された不織布を用いてもよい。
【００１６】
吸収性コアは、尿等の排泄物を吸収できる吸収性材料を含むものであれば特に限定されない。吸収性コアとしては、例えば、吸収性材料を所定形状に成形した成形体を用いたり、あるいは吸収性材料を紙シート（例えば、ティッシュペーパーや薄葉紙）や液透過性不織布等のシート部材で覆ったものを用いることができる。吸収性コアに含まれる吸収性材料としては、例えば、セルロース繊維（例えば、粉砕したパルプ繊維）等の親水性繊維や、ポリアクリル酸系、ポリアスパラギン酸系、セルロース系、デンプン・アクリロニトリル系等の吸水性樹脂等が挙げられる。また、吸収性材料には、ポリエチレン、ポリプロピレン等のポリオレフィン繊維や、ＰＥＴ等のポリエステル繊維、ナイロン等のポリアミド繊維等の熱融着性繊維が含まれてもよい。これらの熱融着性繊維は、尿等の体液との親和性を高めるために、界面活性剤等により親水化処理がされていてもよい。
【００１７】
吸収性コアの形状（平面形状）は特に限定されない。吸収性コアの形状は、用途に応じて適宜決定すればよく、例えば、略長方形、砂時計型、ひょうたん型、羽子板型等が挙げられる。
【００１８】
吸収性物品には、幅方向の両側に立ち上がりフラップが設けられてもよい。立ち上がりフラップは、例えば、吸収性物品の内側面に、吸収性コアの両側縁に沿って設けられてもよく、吸収性コアの幅方向両外側に設けられてもよい。立ち上がりフラップを設けることにより、尿等の排泄物の横漏れを防ぐことができる。立ち上がりフラップは、トップシートの幅方向両側に設けられたサイドシートの内方端が立ち上げられて、形成されてもよい。立ち上がりフラップおよびサイドシートは、液不透過性であることが好ましい。
【００１９】
吸収性物品には、バックシートの外側面に留め具が設けられている。留め具は、吸収性物品を別の物品に取り付けるための部材であり、留め具の外側面（すなわち、バックシートと反対側の面）に配された複数の係合部によって別の物品と係合可能に形成されている。本発明の吸収性物品は、バックシートに設けられた留め具により、使い捨ておむつ等の他の吸収性物品の内側面やパンツ、ショーツ等の下着の内側面に取り付けた際に、吸収性物品がずれたり脱落するのが防止される。以下、留め具の取り付け対象となる他の吸収性物品や下着等の構成部材を「係合対象部材」と称する場合がある。なお、係合対象部材としては、不織布、織布、編布等の布材料や、孔が形成されたプラスチックフィルム等が挙げられる。
【００２０】
ところで、従来、バックシートの外側面に設けられる留め具としてはフック・ループ・ファスナーのフック部材（雄部材）が知られており、フック部材は一般に係合部が錨形や鉤形を有している。しかし、このようなフック部材が設けられた留め具を他の吸収性物品や下着に取り付けると、フック部材が係合対象部材に引っ掛かって強固に係合し、吸収性物品（留め具）を取り外す際に係合対象部材を傷付けたり、他の吸収性物品や下着から吸収性物品を引き剥がすことが困難となるおそれがある。特に、使用済みの吸収性物品は、衛生上の点から手で直接触れる部分が限られるため、フック部材が係合対象部材に強固に係合していると、使用済みの吸収性物品を他の吸収性物品や下着から取り外す際の取り扱い性が低下する。
【００２１】
一方、本発明の吸収性物品では、留め具の係合部が柱状に形成され、頂部に向かって断面幅が拡大しないように形成されている。すなわち、本発明の吸収性物品は、バックシートとは反対側の面に配された複数の柱状の係合部を有し、係合部が頂部に向かって断面幅が拡大しないように形成されている。なお、係合部の詳細は後述する。本発明の吸収性物品は留め具の係合部がこのように形成されているため、留め具を他の吸収性物品や下着に取り付けても、留め具を取り外す際に係合部が係合対象部材に引っ掛かりにくくなり、吸収性物品を他の吸収性物品や下着から取り外すことが容易になる。留め具を他の吸収性物品や下着に取り付けた状態では、留め具の係合部は係合対象部材の剪断方向に対抗する力が作用し、ズレ防止効果が発揮されるようになる。つまり、本発明の吸収性物品は、他の吸収性物品や下着に取り付けて使用する際は、他の吸収性物品や下着に対するズレ防止効果が働くのに対し、他の吸収性物品や下着からは簡単に取り外すことができるようになる。
【００２２】
留め具はプラスチックから構成されることが好ましく、接着剤等によりバックシートの外側面に固定される。留め具がプラスチックから構成されていれば、留め具に可撓性と使用上十分な強度が付与されやすくなり、留め具の取り扱い性が向上する。
【００２３】
留め具について、図面を参照しながら、詳細に説明する。図１〜図３には、本発明の吸収性物品に設けられる留め具の例を示した。図１（ａ）は円柱形状の係合部を有する留め具の斜視図を表し、図１（ｂ）は図１（ａ）に示した留め具の断面図を表す。図２（ａ）は切頂円錐形状の係合部を有する留め具の斜視図を表し、図２（ｂ）は図２（ａ）に示した留め具の断面図を表す。図３（ａ）は円柱と切頂円錐とを組み合わせた形状の係合部を有する留め具の斜視図を表し、図３（ｂ）は図３（ａ）に示した留め具の断面図を表す。
【００２４】
留め具１１は基材１２と係合部１３を有し、基材１２の内側面１２Aがバックシートに固定され、基材１２の外側面１２Bに複数の柱状の係合部１３が配されている。係合部１３は基材１２の外側面１２Bから突出して設けられ、係合部１３は、基材１２から突出する基点となる基部１３Bと、柱状の先端に相当する頂部１３Aを有する。なお係合部１３は、基部１３Bから頂部１３Aに至る方向を高さ方向と規定し、高さ方向と垂直な方向を幅方向と規定する。
【００２５】
係合部１３は、柱状である限り、その形状は特に限定されない。ただし、係合部１３は頂部１３Aに向かって断面幅が拡大しないように形成され、頂部１３Aに端面が形成される。柱状の係合部１３の幅方向の断面形状は特に限定されず、円形であってもよく、多角形であってもよく、不定形であってもよい。係合部１３は、高さ方向に対して同幅な形状に限定されず、高さ方向に対して幅が変動してもよい。ただし係合部１３は、頂部に向かって断面幅が拡大しないように形成されるため、係合部１３は、頂部に向かって断面幅が変わらないか、頂部に向かって断面幅が減少するように形成される。係合部１３は、頂部に向かって断面幅が変わらない部分と減少する部分との両方から構成されていてもよい。なお断面幅とは、係合部１３の幅方向断面における最大長さを意味し、これを係合部１３の高さ方向に測定することにより断面幅の変動を計測できる。
【００２６】
図１〜図３に示した留め具１１は、いずれも頂部に向かって断面幅が拡大しないように形成された柱状の係合部１３を有している。図１に示した留め具１１の係合部１３は頂部に向かって断面幅が一定に形成されており、図２に示した留め具１１の係合部１３は頂部に向かって断面幅が減少するように形成されており、図３に示した留め具１１の係合部１３は頂部に向かって断面幅が一定の部分と減少する部分との両方を有するように形成されている。
【００２７】
本発明の吸収性物品は、バックシートの外側面に、頂部に向かって断面幅が拡大しないように形成された複数の柱状の係合部１３を有する留め具１１が設けられているため、留め具１１を係合対象部材から取り外す際、すなわち、留め具１１を係合対象部材に取り付けた状態から係合部１３の高さ方向に係合対象部材から引き離す際、係合部１３が係合対象部材を構成する繊維等に引っ掛かりにくく、留め具１１を係合対象部材から簡単に取り外すことができる。一方、留め具１１を係合対象部材に取り付けた状態では、留め具１１の剪断方向（すなわち係合部１３の幅方向）に対して留め具１１を動かそうとしても係合部１３が係合対象部材を構成する繊維等の間隙に入り込んでいるため、留め具１１が係合対象部材に対してずれにくくなる。
【００２８】
留め具１１のズレ防止効果を高めるために、留め具１１の係合部１３は係合対象部材を構成する繊維等の間隙に入り込みやすく、剪断方向の力に対して好適に対抗できる形状を有していることが好ましい。従って、係合部１３は、高さ（Ｈ）と頂部１３Aの端面の幅（ＷA）との比ＷA／Ｈが０．１以上であることが好ましく、０．２以上がより好ましく、０．３以上がさらに好ましく、また１．５以下であることが好ましく、１．２以下であることがより好ましく、１．０以下であることがさらに好ましい。前記比ＷA／Ｈが０．１以上であれば、係合部１３が高さ（Ｈ）に対してある程度の幅を有することとなり、係合部１３が剪断方向の力に対して十分対抗しやすくなる。つまり、剪断方向の力に対して係合部１３が曲がったりして十分な抗力が発揮されなくなることが起こりにくくなり、また、係合部１３の頂部１３Aの端面がある程度の面積を有することとなるため、係合部１３の頂部１３Aにおいても係合対象部材との間に摩擦力が働いて、係合部１３が剪断方向に対する抗力を十分に発揮しやすくなる。前記比ＷA／Ｈが１．５以下であれば、係合部１３がある程度細長に形成されることとなり、係合部１３が係合対象部材を構成する繊維等の間隙に入り込みやすくなる。なお、頂部１３Aの端面の幅（ＷA）とは、頂部１３Aの端面における最大長さを意味する。
【００２９】
係合部１３は、頂部１３Aの端面の幅（ＷA）と基部１３Bの断面の幅（ＷB）との比ＷB／ＷAが２．０以下であることが好ましく、１．８以下であることがより好ましく、１．５以下であることがさらに好ましい。前記比ＷB／ＷAが２．０以下であれば、係合部１３が係合対象部材を構成する繊維等の間隙に深く入り込みやすくなり、また、留め具１１に剪断方向の力が働いても、係合部１３が係合対象部材を構成する繊維等の間隙から抜けにくくなる。なお係合部１３は、頂部に向かって断面幅が拡大しないように形成されているため、前記比ＷB／ＷAは１．０以上となる。
【００３０】
また係合部１３は、断面幅がほぼ一定に形成されている部分がある程度の割合を占めていることが好ましく、このように係合部１３が形成されることにより、留め具１１に剪断方向の力が働いても、係合部１３が係合対象部材を構成する繊維等の間隙から抜けにくくなる。具体的には係合部１３は、高さ方向の１／２以上の長さ（より好ましくは２／３以上の長さ）にわたって、断面幅の変動が１０％以内となるように形成されていることが好ましい。なお、断面幅の変動は、基部側の断面幅を基準に計算する。
【００３１】
係合部１３の大きさとしては、例えば、高さ（Ｈ）が０．１０ｍｍ〜１．００ｍｍ（より好ましくは０．２０ｍｍ〜０．７５ｍｍ）であることが好ましい。係合部１３がこのような高さで形成されていれば、係合部１３が係合対象部材の繊維等の間隙に入り込んで、ズレ防止効果が十分発揮されやすくなる。また、係合部１３が非常に小さく形成されるため、係合部１３に肌が触れても痛みを感じにくくなり、留め具１１の取り扱い性が向上する。
【００３２】
係合部１３は、留め具１１に１６〜９００個／ｃｍ2の密度（より好ましくは６４〜６２５個／ｃｍ2の密度）で設けられていることが好ましい。係合部１３がこのような密度で留め具１１に設けられていれば、留め具１１を係合対象部材に取り付けた際に、ズレ防止効果が十分発揮されやすくなる。
【００３３】
基材１２は、例えば、厚みが０．０１ｍｍ〜０．４０ｍｍ（より好ましくは０．０５〜０．３０ｍｍ）に形成されていることが好ましい。基材１２の厚みが０．０１ｍｍ以上であれば、基材１２が十分な強度を有しやすくなる。基材１２の厚みが０．４０ｍｍ以下であれば、基材１２が柔軟に形成されやすくなり、留め具１１を他の吸収性物品や下着等に取り付けた際に、着用者が留め具１１に対して違和感を覚えにくくなる。
【００３４】
次に、本発明の吸収性物品の構成例について、図４および図５を参照して説明する。なお、本発明は、図面に示された実施態様に限定されるものではない。図４は、吸収性物品として失禁パッドをバックシート側から見た平面図を表す。図５は、図４の吸収性物品のＡ−Ａ断面図を表す。なお図面では、矢印ｘが吸収性物品の幅方向、矢印ｙが吸収性物品の長手方向を表し、矢印ｘ，ｙにより形成される面に対して垂直方向が吸収性物品の上下方向ｚを表す。
【００３５】
吸収性物品１は、トップシート２とバックシート３とこれらの間に配された吸収性コア４とを有する。トップシート２は、着用者の肌に面するように配置され、尿等の排泄物を透過する。トップシート２を透過した排泄物は、吸収性コア４により収容される。
【００３６】
トップシート２と吸収性コア４との間には上側台紙５が設けられることが好ましく、バックシート３と吸収性コア４との間には下側台紙６が設けられることが好ましい。上側台紙５と下側台紙６は、尿等の体液の拡散性を向上させたり、吸収性物品１が型くずれしにくくするために設けられる。上側台紙５は液透過性であることが好ましく、下側台紙６は、液透過性であっても液不透過性であってもよい。上側台紙５と下側台紙６としては、ティッシュペーパーや薄葉紙、クレープ紙等を用いることができる。
【００３７】
バックシート３の外側面には留め具１１が設けられている。留め具１１は、バックシート３とは反対側の面に配された複数の柱状の係合部１３を有し、係合部１３は頂部に向かって断面幅が拡大しないように形成されている。吸収性物品１は、留め具１１により他の吸収性物品や下着に取り付けることができる。この際、留め具１１の係合部１３が頂部に向かって断面幅が拡大しないように形成されているため、留め具１１によるズレ止め効果が発現するにも関わらず、吸収性物品１（具体的には留め具１１）を他の吸収性物品や下着から簡単に取り外すことができる。
【００３８】
図４では、留め具１１は、吸収性物品１の長手方向ｙの両側に設けられている。このように留め具１１が設けられていれば、吸収性物品１の着用感が良好となる。すなわち、吸収性物品１は留め具１１が設けられた部分でやや剛性が高くなるが、留め具１１が吸収性物品１の長手方向ｙの両側に設けられていれば、着用者の股間（特に排尿部）に留め具１１が設けられた部分が位置しにくくなり、着用者が違和感を覚えにくくなる。好ましくは、留め具１１は、吸収性物品１を長手方向ｙに４分割したとき、両端の１／４の領域にそれぞれ設けられる。
【００３９】
図６および図７には、図４および図５に示した吸収性物品とは異なる実施態様の吸収性物品を示す。図６は、吸収性物品として失禁パッドをバックシート側から見た平面図を表し、図７は、図６の吸収性物品のＢ−Ｂ断面図を表す。なお、下記の説明において、上記実施態様と重複する部分の説明は省略する。
【００４０】
図６では、留め具１１は長手方向ｙに延在して設けられている。詳細には、留め具１１は、幅方向ｘよりも長手方向ｙに長くなるように設けられている。吸収性物品１は長手方向ｙに長く形成されているため、留め具１１が長手方向ｙに長くなるように設けられていれば、吸収性物品１を他の吸収性物品や下着に取り付けて着用する際に、吸収性物品１がずれたり歪んだりしにくくなる。また、吸収性物品１を着用している際に留め具１１の一部が係合対象部材から外れても、留め具１１が元の場所に再係合されやすくなる。好ましくは、留め具１１は、吸収性物品１の長手方向ｙの長さの２／３以上の長さ（より好ましくは３／４以上の長さであり、さらに好ましく４／５以上の長さ）にわたって、長手方向ｙに延在して設けられる。
【００４１】
留め具１１は、吸収性物品１の幅方向ｘの両側に設けられることが好ましい。すなわち、長手方向ｙに延在する留め具１１が、幅方向ｘの両側にそれぞれ設けられることが好ましい。留め具１１が吸収性物品１の幅方向ｘの両側に設けられれば、吸収性物品１は幅方向ｘへのズレ止め効果が向上する。また、吸収性物品１の幅方向の両側に設けられた留め具１１の一方が他の吸収性物品や下着から外れても、他方の留め具１１はそれにつられて外れにくくなるため、結果的に吸収性物品１を着用している状態で吸収性物品１が他の吸収性物品や下着から外れにくくなる。
【符号の説明】
【００４２】
１：  吸収性物品（失禁パッド）
２：  トップシート
３：  バックシート
４：  吸収性コア
１１：  留め具
１２：  基材
１３：  係合部
【図１】
2014039753.tif 000003
【図２】
2014039753.tif 000004
【図３】
2014039753.tif 000005
【図４】
2014039753.tif 000006
【図５】
2014039753.tif 000007
【図６】
2014039753.tif 000008
【図７】
2014039753.tif 000009